(57)【特許請求の範囲】
【請求項１】
ライン内を循環駆動する搬送手段を内装したコンベヤであって、コンベヤのラインの中途位置に複数の排出口を配設し、該排出口には開閉手段により開閉可能な開閉扉を設け、ゴミなどの被搬送物を所望の排出口から排出可能に構成した複数の排出口を設けたコンベヤにおいて、
前記複数の排出口に、それぞれ異なる焼却条件ないし廃棄処理条件で前記被搬送物を処理する焼却炉などの廃棄処理装置の投入口を接続してなることを特徴とする複数の排出口を設けたコンベヤ。
【請求項２】
コンベヤラインには複数の投入口が設けられて、所定の投入口に被搬送物が投入された場合に、これに対応する所定の排出口の開閉扉を開いて前記被搬送物を排出可能となっていることを特徴とする請求項１に記載された複数の排出口を設けたコンベヤ。
【請求項３】
投入口と複数の排出口とを配設したライン内に循環駆動する搬送手段を内装すると共に、複数の排出口にそれぞれ異なる焼却条件ないし廃棄処理条件でゴミなどの被搬送物を処理する焼却炉などの廃棄処理装置の投入口を接続したコンベヤであって、排出口に開閉扉を開く手段を設け、投入口に投入された前記被搬送物の種類に応じて前記手段で所定の排出口の開閉扉を開き、前記被搬送物を排出できるようにしたことを特徴とする複数の排出口を設けたコンベヤの搬送方法。
【請求項４】
複数の投入口と複数の排出口とを配設したコンベヤのライン内に、循環駆動する搬送手段を内装すると共に、複数の排出口に、それぞれ異なる焼却条件ないし廃棄処理条件でゴミなどの被搬送物を処理する焼却炉などの廃棄処理装置の投入口を接続したコンベヤであって、排出口には投入された前記被搬送物に対応する排出口の開閉扉を開く手段を設け、各投入口に投入されたそれぞれの前記被搬送物を、これに対応する所定の排出口から排出できるようにしたことを特徴とする複数の排出口を設けたコンベヤの搬送方法。
【請求項５】
複数の排出口の全てに、焼却炉などの廃棄処理装置の投入口を接続してなることを特徴とする請求項４に記載の複数の排出口を設けたコンベヤの搬送方法。
【発明の詳細な説明】
【０００１】
【発明の属する技術分野】
この発明は複数の排出口を設けたコンベヤに係り、特に異なった経路に被搬送物を分岐排出することのできるコンベヤに関する。
【０００２】
【従来の技術】
図５および図６に示すように、従来のパイプコンベヤ２０は、直管１１と折曲管または曲管１２とからなって投入口１３を有するパイプライン２１内に、無端チェーン１５Ａに牽引されるブレード等の押動体１５Ｂを循環駆動可能に内装しており、上記パイプライン２１に投入した被搬送物は一ヶ所の排出口１４で集中して排出する構成からなっており、一つのパイプライン２１では異なった経路に分岐排出することはできない。
尚、図中、１９は無端チェーンを駆動するスプロケット、Ｍはその駆動用モータ、１８は排出口を形成するケースである。
【０００３】
【発明が解決しょうとする課題】
前記従来のパイプコンベヤは、被搬送物を複数の投入口又は投入位置で投入できるが、排出口は一個所に限られるため搬送先である排出口から後工程において、被搬送物は単一の処理設備のみに運ばれて単一の処理しかできなかった。
そのため、種類の異なる被搬送物を種類の異なる複数の処理設備へ搬送できないという欠点がある。
この発明は上記事情に鑑みて創案されたものであって、一つの設備で異なった種類の被搬送物を搬送しても個別に分岐して異なる複数の処理設備へ排出することのできるコンベヤを提供することを目的としている。
【０００４】
【課題を解決するための手段】
この発明は、前記課題を達成するために、請求項１の発明では、
ライン内を循環駆動する搬送手段を内装したコンベヤであって、コンベヤのラインの中途位置に複数の排出口を配設し、該排出口には開閉手段により開閉可能な開閉扉を設け、ゴミなどの被搬送物を所望の排出口から排出可能に構成した複数の排出口を設けたコンベヤにおいて、
前記複数の排出口に、それぞれ異なる焼却条件ないし廃棄処理条件で前記被搬送物を処理する焼却炉などの廃棄処理装置の投入口を接続してなる、という技術的手段を講じている。
なお、上記処理装置の処理の一例を挙げれば、焼却、廃棄、攪拌、混成、その他があり、この発明では処理の種類は特に限定されるものではない。
請求項２の発明では、コンベヤラインには複数の投入口が設けられて、所定の投入口に被搬送物が投入された場合に、これに対応する所定の排出口の開閉扉を開いて上記被搬送物を排出可能となっている、という技術的手段を講じている。
また、請求項３の発明では、投入口と複数の排出口とを配設したライン内に循環駆動する搬送手段を内装すると共に、複数の排出口にそれぞれ異なる焼却条件ないし廃棄処理条件でゴミなどの被搬送物を処理する焼却炉などの廃棄処理装置の投入口を接続したコンベヤであって、排出口に開閉扉を開く手段を設け、投入口に投入された前記被搬送物の種類に応じて前記手段で所定の排出口の開閉扉を開き、前記被搬送物を排出できるようにしてなる、という技術的手段を講じている。
請求項４の発明では、複数の投入口と複数の排出口とを配設したコンベヤのライン内に、循環駆動する搬送手段を内装すると共に、複数の排出口に、それぞれ異なる焼却条件ないし廃棄処理条件でゴミなどの被搬送物を処理する焼却炉などの廃棄処理装置の投入口を接続したコンベヤであって、排出口には投入された前記被搬送物に対応する排出口の開閉扉を開く手段を設け、各投入口に投入されたそれぞれの前記被搬送物を、これに対応する所定の排出口から排出できるようにしてなる、という技術的手段を講じている。
また、請求項５の発明では、複数の排出口の全てに、焼却炉などの廃棄処理装置の投入口を接続してなる、という技術的手段を講じている。
【０００５】
上記のように排出口を複数配設したことにより、被搬送物を所定の排出口で排出することができる。そこで排出口を、それぞれ個別の処理装置に連結しておいて、所定の排出口から排出される被搬送物を投入して、仕分けした状態で処理することができる。
【０００６】
【発明の実施の形態】
以下に、この発明の排出口を複数設けたコンベヤをパイプコンベヤに適用した場合の好適実施例について図面を参照して説明する。
【０００７】
パイプコンベヤ１は、直管と曲管、折曲管を組み合わせて適宜に蛇行した一連の管路からなるパイプライン２が、主排出口３を端部として循環状に連設されている。
該パイプライン２の内部には、搬送手段５が内装されており、該搬送手段５は図２に示すように、無端チェーン５Ａの長手方向に複数の搬送板（ブレード）５Ｂ・・を連結し、パイプライン２の主排出口３に配設された駆動輪６に巻掛されて、パイプライン２内を環状に循環駆動するように構成されている。
前記パイプライン２の管路中途位置には、必要に応じて複数の投入口４Ａ，４Ｂ，４Ｃが配設されている。
また、管路の主排出口３寄りの所望の位置に一個所以上の所望数（図では３個所）の中間排出口７，８，９が形成されている。
【０００８】
前記中間排出口７，８，９はそれぞれ下部に開閉扉１０・・・が配設されており、開閉手段１１によって開閉することができる。
中間排出口７，８，９は、本実施例の場合に同じ構成なので、その一つについて説明する。
【０００９】
中間排出口７は、パイプライン２の管体の底部を切欠いたもので、該中間排出口７の外側には、これを開閉可能に被覆する開閉扉１０が設けられている。
この開閉扉１０は、例えば端部が管体に枢着または蝶着されて、観音開きまたは片開きドア式に開閉する構成、またはスライドして開閉する構成、開閉扉をアームやリンクを介して開閉する構成などからなっている。
【００１０】
この開閉扉１０は、手動によりまたは自動により開閉される。
例えば、手動による開閉手段１１の一例を示すと、管体に長手方向に沿ってガイドレールを設け、開閉蓋の側縁部をガイドレールに摺動自在に嵌合しておき、開閉扉１０の把持部Ｈを持って開閉することができる（図１参照）。
【００１１】
また、自動による開閉手段１１の一例を図４に示すと、アクチュエータ１１Ａの先端に連結された棒１１Ｂの先端部は、開閉扉１０に固定されている開閉アーム１０Ａの先端部１１Ｃに螺合されている。該アクチュエータ１１Ａを後退させることによって開閉扉１０が開き、前進させることによって開閉扉１０は閉塞される。
【００１２】
次に、本実施例では前記各中間排出口７，８，９は、それぞれ異なる焼却装置その他の廃棄処理装置の投入口７’、８’、９’と連結または接続されている。本実施例では、中間排出口７，８，９が各焼却炉の投入口のホッパの中央上部に配置されているが、コンベヤ等の移送手段を介して導入される等の構成としてもよい。
【００１３】
上記構成からなっているので、被搬送物（例えばゴミ）の種類に応じて、それぞれに適した焼却条件で作動する焼却炉へ投入することができる。
例えば、前記投入口４Ａ，４Ｂ，４Ｃから、それぞれ同種の被搬送物（ゴミ）を投入する。この被搬送物を焼却する最適条件の焼却炉Ａが中間排出口７に接続されているとすると、上記中間排出口７の開閉扉１０だけを開き、他の中間排出口８，９の開閉扉１０は全て閉じる。
これにより、投入された被搬送物は、中間排出口７から排出され前記焼却炉Ａへ導入されて焼却される。
【００１４】
同様に、前記被搬送物と異なる処理条件の被搬送物（例えば含水量の多いゴミ）の場合には、これに対応する条件の焼却炉の投入口８’が中間排出口８に接続されているとすると、今度は中間排出口８の開閉扉１０だけを開き、他の中間排出口７，９の開閉扉１０は全て閉じる。
これにより、投入された被搬送物は、中間排出口８から排出され前記焼却炉Ｂへ導入されて焼却される。
【００１５】
このようにして、パイプコンベヤに投入される被搬送物の種類に応じて、複数設けられた中間排出口７、８、９のいずれかを選択して、所定の中間排出口から被搬送物を排出することができる。
従って、各中間排出口にはそれぞれ異なる焼却条件の焼却炉、または廃棄処理条件が異なる廃棄処理装置を接続しておけば、１つのパイプコンベヤでありながら、複数の種類の被搬送物を個別に搬送し、それぞれに適した廃棄処理をすることができる。
【００１６】
投入口４Ａ，４Ｂ，４Ｃを複数設けた場合に、前記実施例では各投入口に同一の被搬送物を投入した場合を例示したが、被搬送物の種類に応じて投入する投入口を特定してもよい。
例えば、被搬送物イは投入口４Ａから投入され、中間排出口７から排出し、被搬送物ロは投入口４Ｂから投入され、中間排出口８から排出し、被搬送物ハは投入口４Ｃから投入され、中間排出口９から排出する、などのように設定してもよい。
【００１７】
上記実施例では投入口と中間排出口とを１：１の関係にしたが、この比率は特に限定されるものではなく、配置する条件に合わせていずれかが多くなるものでもよい。
図２は、投入口４を１つとし、中間排出口を３つとした場合を示す。
その他の構成は前記実施例と同様であるので、同一構成には同一符号を付してその説明を省略する。
【００１８】
前述の投入口と中間排出口とが組になっている場合は、投入口にセンサを取り付けて被搬送物の種類を検出させ、被搬送物が投入されると該投入口と組になる中間排出口の開閉扉１０の開閉手段を開方向へ作動させる構成としてもよい。
この場合、例えば焼却条件のそれぞれ異なる被搬送物イ、ロ、ハが生じる現場において、被搬送物イを処理する場合は投入口４Ａに投入すればセンサＳの検知で中間排出口７の開閉扉１０が開き、被搬送物イが中間排出口７から排出されて、これに対応する焼却炉の投入口７’に導入されて処理される。
【００１９】
同様に被搬送物ロを処理する場合は投入口４Ｂに投入すればセンサＳの検知で中間排出口８の開閉扉１０が開き、被搬送物ロが中間排出口８から排出されて、これに対応する焼却炉の投入口８’に導入されて処理される。
被搬送物ハを処理する場合は投入口４Ｃに投入すればセンサの検知で中間排出口９の開閉扉１０が開き、被搬送物ハが中間排出口９から排出されて、これに対応する焼却炉の投入口９’に導入されて処理される。
【００２０】
上記実施例では、パイプが二重となるパイプラインの端部で開口し、この開口位置に主排出口を設けた構成としたが、パイプラインを無端とし環状となるパイプコンベヤであってもよい。
その場合は、主排出口は設けず、中間排出口を複数設ければ良い（図３参照）。
その他の構成は前記実施例と同様であるので説明を省略する。
上記実施例ではパイプコンベヤを例に説明したがこの発明では、パイプ以外のケースを用いたコンベヤであってもよい。
【００２１】
【発明の効果】
この発明では排出口を複数設けたので、一本のラインであっても異なった種類の被搬送物を異なった位置の排出口から分別して排出することができる。
これにより、各排出口にそれぞれ異なる処理条件で作動する処理装置を接続しておけば、１つのコンベヤのラインであっても、複数種類の被搬送物をそれぞれの処理装置に移送することができる。
複数の投入口を配設したとき、他の駆動系を同時に制御することによって、任意の種類の被搬送物を任意の分岐経路へ回送するための排出口から排出することができる効果がある。
【図面の簡単な説明】
【図１】パイプコンベヤの実施例を示す概略図である。
【図２】投入口と排出口の数を異にした場合の異なる実施例の概略図である。
【図３】主排出口を設けない場合の別の実施例を示す概略図である。
【図４】排出口の扉の異なる実施例を示す図である。
【図５】従来のパイプコンベヤの構造を示す斜視図である。
【図６】パイプ内部の構造を示す部分斜視図である。
【符号の説明】
１                パイプコンベヤ
２                パイプライン
３                主排出口
４                主投入口
４Ａ，４Ｂ，４Ｃ  副投入口
５                搬送手段
５Ａ              無端チェーン
５Ｂ              搬送板
６                駆動輪
７，８，９        中間排出口
１０              開閉扉
１０Ａ            開閉アーム
１１              開閉手段
【図１】
0003569430.tif 000002
【図２】
0003569430.tif 000003
【図３】
0003569430.tif 000004
【図４】
0003569430.tif 000005
【図５】
0003569430.tif 000006
【図６】
0003569430.tif 000007